(57)【要約】【課題】  医療従事者が脱落呼出しの保留と保留の解除とを目視にて確認しつつ容易に切替えることができるようにすることを目的とする。【解決手段】  呼出しボタン１２を備えたハンド形子機９を壁埋込形子機１０のコンセント１６に着脱自在に接続し、コンセント１６からハンド形子機９が脱落した場合に、復旧ボタン１９が操作されているときには、脱落呼出し信号出力判定部２１は、脱落呼出し信号の送出を保留する。また、脱落呼出し信号の送出が保留されている状態でコンセント１６にハンド形子機９が接続された場合には、脱落呼出し信号出力判定部２１は、脱落呼出し信号の送出の保留を解除するようにしている。このとき、脱落呼出し信号を送出している場合と脱落呼出し信号の送出を保留している場合とで確認表示灯１８の表示を異ならせるようにしている。【選択図】        図２
2008187643.tif 000002
【特許請求の範囲】
【請求項１】
病床の近傍に設置され、患者による呼出し操作により呼出しを行うナースコール子機と、ナースセンタに設置され、前記ナースコール子機による呼出しに応答するナースコール親機とを備えるナースコールシステムであって、
前記呼出し操作を行うための呼出し操作部を備えたナースコール子機を着脱自在に接続する接続部と、
前記接続部から前記ナースコール子機が脱落した場合でも前記ナースコール子機の脱落を示す脱落呼出し信号の送出を保留させるための操作を行う脱落保留操作部と、
前記接続部から前記ナースコール子機が脱落した場合に前記脱落呼出し信号を送出するとともに、前記脱落保留操作部が操作されながら前記接続部から前記ナースコール子機が脱落した場合に前記脱落呼出し信号の送出を保留し、前記脱落呼出し信号の送出が保留されている状態で前記接続部に前記ナースコール子機が接続されたときには、前記脱落呼出し信号の送出の保留を解除する脱落呼出し信号出力判定部と、
前記脱落呼出し信号出力判定部が前記脱落呼出し信号を送出している場合と、前記脱落呼出し信号出力判定部が前記脱落呼出し信号の送出を保留している場合とで表示を異ならせる確認表示部と、
前記脱落呼出し信号出力判定部から前記脱落呼出し信号が連続して送出される時間を計測するタイマー部と、
前記タイマー部により計測した時間が所定時間となったか否かを判定し、所定時間以上となった場合に前記脱落呼出し信号を出力する脱落呼出し信号出力保留判定部と、
前記脱落呼出し信号出力判定部から出力された前記脱落呼出し信号を入力して脱落報知を行う脱落報知部と、
を備えたナースコールシステム。
【請求項２】
前記脱落保留操作部は、前記ナースコール子機による呼出しに対する復旧動作を行う復旧ボタンであることを特徴とする請求項１に記載のナースコールシステム。
【発明の詳細な説明】
【技術分野】
【０００１】
本発明は、病院などで患者からの要求に応じて医療従事者を呼出すナースコールシステムに関する。
【背景技術】
【０００２】
病院や福祉施設などの施設に設置されるナースコールシステムは、ナースセンタに設置されるナースコール親機と、病室側に設置され、ナースコール親機と接続された廊下灯と、各患者のベッド毎に病室内の壁面に設置され、廊下灯と接続された壁埋込形子機とを備えている。
【０００３】
壁埋込形子機は、医療従事者を呼出すための呼出ボタン、マイク、スピーカを備えることで、ナースコール親機側と連絡を取り合うことができるが、表面に露出して設けられたコンセントにナースコール子機を取り付けることで、コンセントに取り付けたナースコール子機によってもナースコール親機側と連絡を取り合うことができる。ここで、ナースコール子機は、壁埋込形子機のコンセントに対して着脱自在となっている。
【０００４】
このようなナースコール子機としては、握り押しボタンやハンド形子機等がある。ここで、握り押しボタンは、呼出ボタンを備えており、単に呼出し専用で通話機能は持たない。また、ハンド形子機は、呼出ボタンに加えてマイクおよびスピーカを内蔵し、通話機能を持っている。
【０００５】
ところで、ナースコールシステムにおいて、ナースコール子機に脱落や断線などの異常が生じると脱落呼出しがかかるようになっているものが知られている（例えば、特許文献１など）。
【特許文献１】特開２００４−１１２０１５号公報
【０００６】
特許文献１に記載のナースコールシステムでは、ナースコール子機は外部電源を受けて本体内の各部回路に電源を供給する電源回路を設け、さらに、電源回路と本体内の各部回路との間に、電源脱落回路を設け、電源供給が停止した場合、脱落呼出しする構成となっている。
【０００７】
また、ナースコール子機の脱落・断線の報知を保留にすることができる切替えスイッチを壁埋込形子機に設ける例が知られている。また、ナースコール子機が脱落してから所定時間が経過してから脱落呼出しを行う例が知られている。
【０００８】
特許文献１に記載の技術では、電源回路と本体内の各部回路との間に電源脱落回路を設ける構成のため、回路構成が複雑になってしまう。また、ナースコール子機に異常があると、常に脱落呼出しがかかってしまう。
【発明の開示】
【発明が解決しようとする課題】
【０００９】
しかしながら、例えば患者の容態が良好であったり、病床が使用されていなかったりした場合には、ナースコール子機を必要としないことがあり、医療従事者側でナースコール子機を壁埋込形子機から取り外すことがある。この場合、ナースコール子機を取り外すと脱落呼出しがかかってしまうという課題があった。
【００１０】
また、ナースコール子機の脱落・断線の報知を保留にすることができる切替えスイッチを壁埋込子機に設ける構成のものについては、医療従事者がナースコール子機の脱落・断線の報知が保留となっているか否かを目視にて確認できるものの、以下の課題が存在していた。切替えスイッチを操作して、ナースコール子機の脱落・断線の報知を保留にした状態で、ナースコール子機を再度取り付ける場合に、医療従事者などは、切替えスイッチを操作して、保留の状態を解除しなければならず面倒であった。また、医療従事者などが切替えスイッチの操作を忘れて、ナースコール子機の脱落・断線の報知を保留にしたままナースコール子機が取り付けられてしまうと、脱落呼出しが行われなければならない場合であっても脱落呼出しが保留されてしまい危険であった。
【００１１】
本発明は、このような問題を解決するために成されたものであり、ハンド形子機などのナースコール子機を必要としない場合、医療従事者が脱落呼出しの保留と保留の解除とを目視にて確認しつつ容易に切替えることができるようにすることを目的とする。
【課題を解決するための手段】
【００１２】
上述した課題を解決するために、本発明では、呼出し操作を行うための呼出し操作部を備えたナースコール子機をコンセントに着脱自在に接続し、コンセントからナースコール子機が脱落した場合に脱落呼出し信号を送出して、脱落保留操作部が操作されながらコンセントからナースコール子機が脱落した場合に脱落呼出し信号の送出を保留するとともに、脱落呼出し信号の送出が保留されている状態でコンセントにナースコール子機が接続されたときには脱落呼出し信号の送出の保留を解除するようにしている。このとき、脱落呼出し信号を送出している場合と脱落呼出し信号の送出を保留している場合とで確認表示灯の表示を異ならせるようにするとともに、脱落呼出し信号が連続して送出される時間が所定時間以上となった場合に脱落報知を行うようにしている。
【００１３】
すなわち、壁埋込形子機に設けられたナースコール子機着脱用のコンセントからナースコール子機が取り外される場合に、脱落保留操作部を操作しながらナースコール子機を取り外せば脱落報知が行なわれないようにしている。また、脱落保留操作部を操作せずにナースコール子機を取り外して所定時間が経過すると脱落報知が行なわれるようにしている。また、脱落保留操作部を操作しながらナースコール子機を取り外した状態でナースコール子機をコンセントに再度取り付けると、脱落呼出し信号の送出の保留を解除するようにしている。また、脱落呼出し信号を送出している場合と脱落呼出し信号の送出を保留している場合とで確認表示灯の表示状態を異ならせるようにしている。
【発明の効果】
【００１４】
上記のように構成した本発明によれば、脱落保留操作部が操作されながらコンセントからナースコール子機が脱落した場合には、脱落呼出し信号の送出が保留されるので、医療従事者は、脱落呼出しをかけることなく、ナースコール子機を壁埋込形子機から取り外すことができる。また、この状態で、ナースコール子機を壁埋込形子機に取り付けると脱落呼出し信号の送出の保留が解除されるので、医療従事者は、脱落呼出し信号の送出の保留をいちいち解除する必要が無くなる。従って、脱落呼出し信号の送出の保留を解除し忘れることがなくなり、危険な状態になることを防止することができる。また、脱落呼出し信号の送出を保留している場合と脱落呼出し信号を送出している場合とで確認表示灯の表示状態が異なるので、医療従事者は、脱落呼出しの保留が成功したか否かを目視にて確認しつつ、脱落呼出しの保留と脱落呼出しの保留の解除とを容易に切替えることができる。
【発明を実施するための最良の形態】
【００１５】
以下、本発明の一実施形態を図面に基づいて説明する。図１は、本実施形態によるナースコールシステムの構成例を示す概略構成図である。また、図２は、本実施形態によるナースコールシステムに適用されるナースコール子機および廊下灯の構成例を示すブロック図である。
【００１６】
図１に示すように、本実施形態によるナースコールシステムは、各病室に設置される病室ユニット１と、ナースセンタに設置されてセンタ装置として機能するナースコール親機２とを備える。ここで、病室ユニット１とナースコール親機２との間は、それぞれ通信線路を介して接続される。また、病室ユニット１は、各病室にそれぞれ設置されている。
【００１７】
また、本実施形態によるナースコールシステムは、他の標準的な構成要素として、例えば、病院内の通信センタに設置されるハンディナースコール主装置３、構内交換機（ＰＢＸ：Private Branch Exchange）４、公衆網５、無線ユニット６を備えている。
【００１８】
ハンディナースコール主装置３には無線ユニット６が接続されている。また、ＰＢＸ４は、公衆網５に接続されている。ハンディナースコール主装置３は、例えば構内ＰＨＳ（Personal Handy-phone System）対応の交換装置からなるもので、内部制御部やタイムスイッチの他に、複数の内線と、局線と、保守とを備える。ここで、ハンディナースコール主装置３の内線にはそれぞれ無線ユニット６の無線基地局７，８が接続されている。
【００１９】
無線基地局７，８は、それぞれ無線エリアを形成し、この無線エリア内に存在する携帯端末７ａ〜７ｎ，８ａ〜８ｎとの間で無線回線を介して接続されている。また、ハンディナースコール主装置３の局線には構内交換機４が接続されている。携帯端末７ａ〜７ｎ，８ａ〜８ｎは、医者や看護師などの医療従事者や介護者が携帯する。
【００２０】
病室ユニット１は、通話用のハンド形子機（特許請求の範囲のナースコール子機に該当する）９と、ハンド形子機９が着脱自在に接続された壁埋込形子機１０とを備えている。ここで、壁埋込形子機１０は、病床の壁面等に設けられており、廊下灯１１に接続されている。
【００２１】
ハンド形子機９は、ナースコール親機２と通話可能な機器であり、図２に示すように、呼出ボタン１２、スピーカ部１３、マイク部１４、これらと接続されたハンド形子機用インターフェース１５を備えて構成されている。
【００２２】
呼出ボタン１２は、患者による操作によって呼出しを行うボタン状の操作装置であり、患者によって操作されると呼出し信号を出力する。スピーカ部１３は、ハンド形子機９とナースコール親機２とが通話中である場合に、ナースコール親機２からの音声を出力する。また、スピーカ部１３は、ナースコール親機２から放送があった場合に、ナースコール親機２からの音声を出力する。マイク部１４は、ハンド形子機９とナースコール親機２とが通話中である場合に、患者が発する音声を入力する。ハンド形子機用インターフェース１５は、上述した呼出し信号や音声信号を入出力する。
【００２３】
壁埋込形子機１０は、コンセント１６、壁埋込形子機用インターフェース１７、確認表示灯１８、復旧ボタン（特許請求の範囲の脱落保留操作部に該当する）１９、復旧ボタンオン・オフ検出部２０、脱落呼出し信号出力判定部２１を備えて構成されている。
【００２４】
コンセント１６は、ハンド形子機９を壁埋込形子機１０に接続するためのものであり、ハンド形子機９のコード先端に設けられたプラグのような接続具がコンセント１６に着脱自在に接続するように構成されている。壁埋込形子機用インターフェース１７は、ハンド形子機９から出力された呼出し信号や音声信号を入力すると共に、ナースコール親機２から入力した音声信号をハンド形子機９に出力する。また、壁埋込形子機用インターフェース１７は、ハンド形子機９が壁埋込形子機１０のコンセント１６に接続されているか否かを検出し、その結果を脱落呼出し信号出力判定部２１に出力する。
【００２５】
確認表示灯１８は、壁埋込形子機１０の表面に発光部分を露出しており、脱落呼出し信号出力判定部２１による判定結果に応じて、表示（発光）状態を異ならせる。復旧ボタン１９は、ハンド形子機９の呼出ボタン１２を患者が押下して、ハンド形子機９からナースコール親機２への呼出しが行われた場合に、元の状態に復旧する動作を行うためのものである。また、復旧ボタン１９は、従来において、呼出しが行われているとき以外に単独で押下された際に働く機能はないが、本実施形態による復旧ボタン１９は、ハンド形子機９を取り外す際に押下される。
【００２６】
復旧ボタンオン・オフ検出部２０は、復旧ボタン１９が押下されているか否かを検出し、その結果を脱落呼出し信号出力判定部２１に出力する。
【００２７】
脱落呼出し信号出力判定部２１は、壁埋込形子機用インターフェース２１が入力した呼出し信号や音声信号をナースコール親機２に出力すると共に、ナースコール親機２から入力した音声信号をハンド形子機９に出力する。ここで、ハンド形子機９の呼出ボタン１２が操作されると、呼出し信号がナースコール親機２に出力され呼出しが行われる。これに対して、復旧ボタン１９の押下、または、ナースコール親機２による応答の操作により、呼出し状態の解除が行われる。
【００２８】
また、脱落呼出し信号出力判定部２１は、復旧ボタンオン・オフ検出部２０から復旧ボタン１９が押下されているか否かの結果を入力する。また、脱落呼出し信号出力判定部２１は、壁埋込形子機用インターフェース１７からハンド形子機９がコンセント１６から脱落しているか否かの結果を入力する。そして、これらの結果により、ハンド形子機９がコンセント１６から脱落したと判断した場合に、復旧ボタン１９が押下されていないときには、脱落呼出し信号出力判定部２１は、脱落呼出し信号を廊下灯１１に送出し続ける。このとき、確認表示灯１８は、点灯した状態となる。
【００２９】
一方、ハンド形子機９がコンセント１６から脱落したと判断した場合に、復旧ボタン１９が押下されているときには、脱落呼出し信号出力判定部２１は、脱落呼出し信号の送出を保留する。このとき、確認表示灯１８は、一定の回数（例えば、３回など）点滅した後に消灯する。
【００３０】
廊下灯１１は、ナースコール親機２と壁埋込形子機１０との間に介在している機器であり、図２に示すように、タイマー部２２、脱落呼出し信号出力保留判定部２３、脱落報知部２４を備えて構成されている。
【００３１】
タイマー部２２は、壁埋込形子機１０の脱落呼出し信号出力判定部２１から脱落呼出し信号が連続して送出されている時間を計測するためのものである。脱落呼出し信号出力保留判定部２３は、タイマー部２２により計測された時間が所定時間（例えば、１０秒など）以上となったか否かを判定し、所定時間以上となった場合に、脱落呼出し信号を脱落報知部２４やナースコール親機２に出力する。なお、脱落呼出し信号出力保留判定部２３は、前述した所定時間を可変させて設定できるようにしても良い。
【００３２】
脱落報知部２４は、ハンド形子機９が壁埋込形子機１０のコンセント１６から脱落したことを報知するためのものであり、脱落呼出し信号出力保留判定部２３から脱落呼出し信号を入力した場合に、警告音を出力したり、警告灯を点灯したりする。また、脱落呼出し信号出力保留判定部２３から出力された脱落呼出し信号は、ナースコール親機２に入力し、ナースコール親機２でも脱落報知部２４と同様に脱落の報知を行う。
【００３３】
このように構成された本実施形態によるナースコールシステムにおいて、医療従事者が脱落を報知させないように、壁埋込形子機１０のコンセント１６からハンド形子機９を取り外すためには、復旧ボタン１９を押下しながらハンド形子機９を取り外す必要がある。しかしながら、復旧ボタン１９の押下が充分でない場合などには、確認表示灯１８が点灯したままの状態となり、脱落呼出し信号出力判定部２１から脱落呼出し信号が出力されている状態となる。このとき、脱落呼出し信号出力判定部２１から脱落呼出し信号が出力されているが、廊下灯１１では、タイマー部２２にて計測された時間が所定時間以上とならない限り、脱落報知部２４およびナースコール親機２では、ハンド形子機９の脱落の報知は行われない。
【００３４】
従って、医療従事者は、確認表示灯１８が点灯したままの状態であることを視認して、脱落の保留が成功しなかったことを把握し、壁埋込形子機１０のコンセント１６にハンド形子機９を再度取り付ける。ハンド形子機９が取り付けられると、脱落呼出し信号出力判定部２１は、脱落呼出し信号の送出を終了する。また、確認表示灯１８は、消灯する。また、廊下灯１１の脱落呼出し信号出力保留判定部２３では、脱落呼出し信号出力判定部２１から送出された脱落呼出し信号が所定時間以上でなければ、脱落呼出し信号を脱落報知部２４およびナースコール親機２に出力しない。そのため、医療従事者が所定時間内に壁埋込形子機１０のコンセント１６にハンド形子機９を取り付けることができれば、脱落の報知が行われることは無い。
【００３５】
一方、医療従事者は、確認表示灯１８が点滅したことを視認して、脱落の保留が成功したことを把握することができる。
【００３６】
次に、本実施形態によるナースコールシステムの動作および脱落保留切替え方法および脱落保留解除方法を説明する。図３は、本実施形態によるナースコールシステムの動作および脱落保留切替え方法を示すフローチャートである。
【００３７】
まず、壁埋込形子機用インターフェース１７は、ハンド形子機９が壁埋込形子機１０のコンセント１６から取り外されたか否かを検出する（ステップＳ１）。ハンド形子機９の取り外しが壁埋込形子機用インターフェース２１にて検出されない場合には（ステップＳ１にてＮＯ）、ステップＳ１の処理を繰り返す。一方、ハンド形子機９の取り外しが壁埋込形子機インターフェース２１にて検出された場合には（ステップＳ１にてＹＥＳ）、復旧ボタン１９が押下されているか否かを復旧ボタンオン・オフ検出回路２０にて検出する（ステップＳ２）。
【００３８】
復旧ボタン１９が押下されていない場合、換言すると、復旧ボタン１９の押下が復旧ボタンオン・オフ検出回路２０にて検出されない場合には（ステップＳ２にてＮＯ）、脱落呼出し信号出力判定部２１は、ハンド形子機９が脱落したことを示す脱落呼出し信号を送出し、確認表示灯１８を点灯させる（ステップＳ３）。一方、復旧ボタン１９が押下されていると復旧ボタンオン・オフ検出回路２０にて検出した場合には（ステップＳ２にてＹＥＳ）、脱落呼出し信号出力判定部２１は、脱落呼出し信号の送出を保留し、確認表示灯１８を一定の回数点滅させる（ステップＳ４）。
【００３９】
ステップＳ３にて、脱落呼出し信号出力判定部２１が脱落呼出し信号を送出すると、廊下灯１１の脱落呼出し信号出力保留判定部２３は、脱落呼出し信号を入力し、脱落呼出し信号出力判定部２１から脱落呼出し信号が所定時間以上送出されたか否かを調べる（ステップＳ５）。脱落呼出し信号出力判定部２１から脱落呼出し信号が所定時間以上送出されていないと脱落呼出し信号出力保留判定部２３にて判断した場合には（ステップＳ５にてＮＯ）、ステップＳ６に移行する。一方、脱落呼出し信号出力判定部２１から脱落呼出し信号が所定時間以上送出されていると脱落呼出し信号出力保留判定部２３にて判断した場合には（ステップＳ５にてＹＥＳ）、脱落報知部２４に脱落の報知を行う（ステップＳ７）。
【００４０】
ステップＳ４にて脱落呼出し信号出力判定部２１が脱落呼出し信号の送出を保留した場合、または、ステップＳ５にて脱落呼出し信号出力判定部２１から脱落呼出し信号が所定時間以上送出されていないと脱落呼出し信号出力保留判定部２３にて判断した場合には、脱落呼出し信号出力保留判定部２３は、脱落報知部２４およびナースコール親機２に脱落呼出し信号を出力せず、脱落の報知を保留した状態となる（ステップＳ６）。
【００４１】
以上詳しく説明したように、本実施形態によれば、呼出しボタン１２を備えたハンド形子機９を壁埋込形子機１０のコンセント１６に着脱自在に接続し、コンセント１６からハンド形子機９が脱落した場合に、脱落呼出し信号出力判定部２１は、脱落呼出し信号を送出するが、復旧ボタン１９が操作されながらハンド形子機９が脱落した場合には、脱落呼出し信号出力判定部２１は、脱落呼出し信号の送出を保留する。また、脱落呼出し信号の送出が保留されている状態でコンセント１６にハンド形子機９が接続された場合には、脱落呼出し信号出力判定部２１は、脱落呼出し信号の送出の保留を解除するようにしている。このとき、脱落呼出し信号を送出している場合と脱落呼出し信号の送出を保留している場合とで確認表示灯１８の表示を異ならせるようにするとともに、脱落呼出し信号出力判定部２１から脱落呼出し信号が連続して送出される時間が所定時間以上となった場合に、廊下灯１１の脱落報知部２４およびナースコール親機２にて脱落報知を行うようにしている。
【００４２】
これにより、復旧ボタン１９が操作されながらコンセント１６からハンド形子機９が脱落した場合には、脱落呼出し信号出力判定部２１からの脱落呼出し信号の送出が保留されるので、医療従事者は、脱落呼出しをかけることなく、ハンド形子機９を壁埋込形子機１０から取り外すことができる。また、この状態で、ハンド形子機９を壁埋込形子機１０のコンセント１６に取り付けると、脱落呼出し信号出力判定部２１からの脱落呼出し信号の送出の保留が解除されるので、医療従事者は、脱落呼出し信号の送出の保留をいちいち解除する必要が無くなる。従って、脱落呼出し信号の送出の保留を解除し忘れることがなくなり、危険な状態になることを防止することができる。
【００４３】
また、脱落呼出し信号の送出を保留している場合と脱落呼出し信号を送出している場合とで確認表示灯１８の表示状態が異なるので、医療従事者は、脱落呼出しの保留が成功したか否かを目視にて確認しつつ、脱落呼出しの保留と脱落呼出しの保留の解除とを容易に切替えることができる。
【００４４】
なお、本実施形態では、壁埋込形子機１０のコンセント１６には、ハンド形子機９を接続するようにしているが、これに限定されない。例えば、壁埋込形子機１０のコンセント１６に、通話機能を持たず、呼出しの操作を行う操作部のみを設けた握り押しボタンを着脱自在に接続するようにしても良い。
【００４５】
また、本実施形態では、タイマー部２２および脱落呼出し信号出力保留判定部２３を廊下灯１１に設けているが、これに限定されない。例えば、タイマー部２２および脱落呼出し信号出力保留判定部２３を壁埋込形子機１０に設けたり、ナースコール親機２に設けたりしても良い。
【００４６】
また、本実施形態では、脱落呼出しの保留が成功したか否かを確認表示灯１８の表示状態を異ならせることにより区別しているが、これに限定されない。例えば、確認表示灯１８の代わりに確認アラーム発生部を設け、確認アラーム発生部にて発生するアラーム音を異ならせることにより脱落呼出しの保留が成功したか否かを区別するようにしても良い。
【００４７】
その他、上記実施形態は、本発明を実施するにあたっての具体化の一例を示したものに過ぎず、これによって本発明の技術的範囲が限定的に解釈されてはならないものである。すなわち、本発明はその精神、またはその主要な特徴から逸脱することなく、様々な形で実施することができる。
【図面の簡単な説明】
【００４８】
【図１】本実施形態によるナースコールシステムの概略構成図である。
【図２】本実施形態によるナースコールシステムに適用されるナースコール子機および廊下灯の構成例を示すブロック図である。
【図３】本実施形態によるナースコールシステムの動作および脱落保留切替え方法を示すフローチャートである。
【符号の説明】
【００４９】
１    病室ユニット
２    ナースコール親機
３    ハンディナースコール主装置
４    構内交換機
５    公衆網
６    無線ユニット
７    無線基地局
７ａ〜７ｎ    携帯端末
８    無線基地局
８ａ〜８ｎ    携帯端末
９    ハンド形子機
１０    壁埋込形子機
１１    廊下灯
１２    呼出ボタン
１３    スピーカ部
１４    マイク部
１５    ハンド形子機用インターフェース
１６    コンセント
１７    壁埋込形子機用インターフェース
１８    確認表示灯
１９    復旧ボタン
２０    復旧ボタンオン・オフ検出部
２１    脱落呼出し信号出力判定部
２２    タイマー部
２３    脱落呼出し信号出力保留判定部
２４    脱落報知部
【図１】
2008187643.tif 000003
【図２】
2008187643.tif 000004
【図３】
2008187643.tif 000005